(57)【特許請求の範囲】
【請求項１】
ベース板の背面側に筒体のパイプガイドを設け、前面側は上下に開口を有する前面フードで囲繞したベントキャップにおいて、前面フード内の上部内側では、平板状の防雨板と下端部分を樋状に折り曲げて幅方向に断面略Ｕ字形の雨樋を設けた雨樋形状の防雨板を多段重ねに配置した上面防雨板で、かつこれら平板状の防雨板と雨樋形状の防雨板はともに下端が前側に近づくような下方への傾斜板である上面防雨板を、下部内側では、平板状の防雨板を多段重ねに配置した下面防雨板を設置し、また、前面フードの側部に外気開口窓を形成し、その内側に側面防雨板を配設したことを特徴とするベントキャップ。
【請求項２】
上面防雨板の雨樋形状の防雨板は、多段重ねに配置した上面防雨板のうち、すくなくともベース板側に設置される請求項１記載のベントキャップ。
【請求項３】
雨樋形状の防雨板の雨樋は、パイプガイドのベース板側の開口面下端ポイントと雨樋形状の防雨板の前に位置する平板状の防雨板の上端で前面フードの上端ポイントとを結んだ線よりも外側に位置させる請求項１または２記載のベントキャップ。
【請求項４】
上面防雨板の雨樋形状の防雨板の雨樋端部は側面防雨板の外側に位置する請求項１ないし請求項３のいずれかに記載のベントキャップ。
【請求項５】
ベース板の背面側に筒体のパイプガイドを設け、前面側は上下に開口を有する前面フードで囲繞したベントキャップにおいて、
前面フード内の上部内側では多段重ねに配置した上面防雨板を設置し、
下部内側では多段重ねに配置した下面防雨板を設置し、
また、前面フードの側部に外気開口窓を形成し、その内側に側面防雨板を配設し、
上面防雨板と下面防雨板と側面防雨板とで囲まれる面に、上面防雨板と下面防雨板と側面防雨板に固定する事により、防鳥網を設けたことを特徴とするベントキャップ。
【発明の詳細な説明】
【０００１】
【発明の属する技術分野】
本発明は、ベントキャップに係り、特に建築物の壁に設けられた通気ダクトに設置される給排気ベントキャップに関するものである。
【０００２】
【従来の技術】
図１０、図１１に従来のベントキャップの１例を示すと、図中１は外壁、２はこの外壁１を貫通する外壁貫給排気ダクト、３はダクト吊金物である。
【０００３】
このような外壁貫給排気ダクト２の開口に設置するベントキャップ４として、ベース板５の背面側に円筒体のパイプガイド６を設け、さらにベース板５のパイプガイド６内に対応する部分に下向きの防雨ガラリ７を形成している。
【０００４】
そして、ベース板５の前面側は横コ字形で上下に開口を有する前面フード８で囲繞し、この前面フード８で囲繞部分の上部内側には、くの字に折れ曲がり、折れ曲がり部分が下向きに傾斜する平板状の（上面）防雨板９を設けた。また、ベース板５の下端側には傾斜板である雨だれ防止板１０を設けた。
【０００５】
前記パイプガイド６の周面に、一端を固定したくの字の折り曲げ板バネである抜け止め金具１１を取り付ける。
【０００６】
ベントキャップ４の設置に際しては、パイプガイド６を外壁貫給排気ダクト２の開口に嵌入すれば、抜け止め金具１１の押圧で固定される。
【０００７】
防雨板９は雨の浸入をガードするものであり、雨がダクト内に浸入しないよう、換気口上部にこの防雨板９を設置し、カサの役割をさせる。
【０００８】
また、雨だれ防止板１０は雨だれによる建物外壁面の汚れをガードするもので、壁面の汚れに原因の一つであるフードからの雨だれが、壁に伝わるのを防ぐ。
【０００９】
前面フード８は、空気の逆戻りを防止するものである。天井部分の空きがフード内に生じる外気の圧力を逃し、これによりダクト内への空気の逆戻りを防止する。
【００１０】
【発明が解決しようとする課題】
悪天候時、中高層建物に吹き当たった風と雨とは、必ずしも外壁面に沿って吹き下げるルートＡのものとは限らず、風向きによっては、下から上へ吹き上げるルートＢのことが少なくない。そのような状況に於いては、この図１０、図１１に示す従来のベントキャップでは、外壁１に設置されている給排気のベントキャップ４から浸入した雨水は、屋外の風圧によって外壁貫給排気ダクト２内を通過して、室内に設置された給排気口から室内に漏水する事故が多い。
【００１１】
これをさらに詳しく説明すると、悪天候の強風時、前面フード８内を上部から下部へ抜けるＡルートからの外壁貫給排気ダクト２内への雨風の浸入は、下向きに傾斜する平板状の防雨板９と下向きの防雨ガラリ７による防止できる。しかし、下部から上部へ抜けるＢルートでの下から吹き上げられた雨風は、下向きの防雨ガラリ７のパネル傾斜と同じ方向の風によってかえって外壁貫給排気ダクト２内へに雨を誘導する作用を生じ、ダクト端部の室内給排気口で漏水する。
【００１２】
本発明は前記従来例の不都合を解消し、外壁面を上から下方向に向かって吹き下がる雨や外壁面を横方向から吹き流れる雨の他、外壁面の下から上方向に向かって吹き上げる雨の止水性能を格段に向上させ、また、従来の同一外形サイズのものに比べて給排気の圧力損失が低く、コンパクトな寸法で給排気性能を確保できるベントキャップを提供することにある。
【００１３】
【課題を解決するための手段】
本発明は前記目的を達成するため、第１に、ベース板の背面側に筒体のパイプガイドを設け、前面側は上下に開口を有する前面フードで囲繞したベントキャップにおいて、前面フード内の上部内側では、平板状の防雨板と下端部分を樋状に折り曲げて幅方向に断面略Ｕ字形の雨樋を設けた雨樋形状の防雨板を多段重ねに配置した上面防雨板で、かつこれら平板状の防雨板と雨樋形状の防雨板はともに下端が前側に近づくような下方への傾斜板である上面防雨板を、下部内側では、平板状の防雨板を多段重ねに配置した下面防雨板を設置し、また、前面フードの側部に外気開口窓を形成し、その内側に側面防雨板を配設したこと、第２に、上面防雨板の雨樋形状の防雨板は、多段重ねに配置した上面防雨板のうち、すくなくともベース板側に設置されること、第３に、雨樋形状の防雨板の雨樋は、パイプガイドのベース板側の開口面下端ポイントと雨樋形状の防雨板の前に位置する平板状の防雨板の上端で前面フードの上端ポイントとを結んだ線よりも外側に位置させることを要旨とするものである。
【００１４】
第４に、上面防雨板の雨樋形状の防雨板の雨樋端部は側面防雨板の外側に位置することを要旨とするものである。
【００１５】
第５に、ベース板の背面側に筒体のパイプガイドを設け、前面側は上下に開口を有する前面フードで囲繞したベントキャップにおいて、前面フード内の上部内側では多段重ねに配置した上面防雨板を設置し、下部内側では多段重ねに配置した下面防雨板を設置し、また、前面フードの側部に外気開口窓を形成し、その内側に側面防雨板を配設し、上面防雨板と下面防雨板と側面防雨板とで囲まれる面に、上面防雨板と下面防雨板と側面防雨板に固定する事により、防鳥網を設けたことを要旨とするものである。
【００１６】
請求項１記載の本発明によれば、ベース板のパイプガイド内に対応する部分に設ける下向きの防雨ガラリを無くし、また、前面フードの側部に外気開口窓を形成することで、従来製品より外気に対する開口面積を多く確保することができ、ベントキャップの圧力損失を低減できる。また、下向きの防雨ガラリを無くすことでこの防雨ガラリのパネル傾斜と同じ方向の風によってかえって外壁貫給排気ダクト内へ雨を誘導することが無くなる。
【００１７】
また、外気に対する開口面積を多く確保することにより、ベントキャップに浸入する雨水量は増すことになるが、前面フードの上部側では平板状の防雨板と雨樋形状の防雨板を２段重ねに配置した上面防雨板で、また、前面フードの下部側では平板状の防雨板を２段重ねに配置した下面防雨板で、さらに、前面フードの側部では外気開口窓の内側の側面防雨板で、雨風の浸入が阻止される。
【００１８】
さらに、前面フードの上部から下部の風の流れで内部に浸入する雨風は、上面防雨板の平板状の防雨板と雨樋形状の防雨板の間を抜け、これら平板状の防雨板と雨樋形状の防雨板に整流されて外壁貫給排気ダクト端から遠のくようにして前面フードの裏面側に近づき、下面防雨板の平板状の防雨板間を抜けてベントキャップ外へ出る。
【００１９】
前面フードの下部から上部の風の流れで内部に浸入する雨風は、下面防雨板の平板状の防雨板間を抜け、これら平板状の防雨板に整流されて外壁貫給排気ダクト端から遠のくようにして前面フードの裏面側に近づき、上面防雨板の平板状の防雨板と雨樋形状の防雨板の間を抜けてベントキャップ外へ出る。
【００２０】
前面フードの横から外壁面を横方向の風の流れで内部に浸入する雨風は、側面防雨板に整流されて外壁貫給排気ダクト端から遠のくようにして前面フードの裏面側に近づき、また、反対側の側面防雨板に導かれて反対側の外気開口窓から抜けてベントキャップ外へ出る。
【００２１】
このように上から下、下から上、左から右、右から左のいずれのルートの雨水の浸入もスムーズに逃がすことにより、ベントキャップに接続する給排気ダクト内への雨水の浸入を防ぐことができる。
【００２２】
請求項４記載の本発明によれば、前面フードの開口のどの方向からもパイプガイド内への風雨が遮蔽されるように構成したものであり、これによりベントキャップに接続する給排気ダクト内への雨水の浸入をより確実に防ぐことができる。
【００２３】
さらに、前記作用に加えて、上から下への雨は上面防雨板の雨樋形状の防雨板の雨樋端部で受けられ、この雨樋端部で側面防雨板の外側にまで導かれ、前面フードの側部の外気開口窓から外へ出ていく。
【００２４】
【発明の実施の形態】
以下、本発明の実施の形態を詳細に説明する。図１は本発明のベントキャップの第１実施形態を示す中央縦断側面図、図２は同上中央横断平面図、図３は同上一部切り欠いた平面図で、前記従来例を示す図１０、図１１と同一構成要素には同一参照符号を付したものである。
【００２５】
本発明のベントキャップも前記従来例と同じく、外壁貫給排気ダクト２の開口に設置するベントキャップ４として、ベース板５の背面側に円筒体のパイプガイド６を設け、ベース板５の前面側は横コ字形で上下に開口を有する前面フード８で囲繞したものである。構成部材は全てステンレス製とし、パイプガイド６はベース板５を貫通し、端部に形成した外向きのフランジをこのベース板５にビス止め等で固定した。前面フード８は湾曲して前方に少し膨らむ前面板と、その左右を折り曲げてなる側面板とからなり、ベース板５の左右に形成した接合フランジにこの側面板端を重ね合わせて、ネジ止で着脱自在に固定する。
【００２６】
また、ベース板５の下端側には傾斜板である雨だれ防止板１０を一体の折り曲げ成形で設け、前記パイプガイド６の周面に、一端を固定したくの字の折り曲げ板バネである抜け止め金具１１を取り付ける点も同一である。雨だれ防止板１０の横幅はベース板５の幅よりも大きく左右に少し突出し、端部は折り曲げて立上げフランジ１０ａとした。例えば、抜け止め金具１１は１２０°間隔で３個を設ける。
【００２７】
本発明は、従来とは異なりベース板５のパイプガイド６内に対応する部分に設ける下向きの防雨ガラリ７を無くした。
【００２８】
さらに、前面フード８内の上部内側には上面防雨板１２を設けるが、この上面防雨板１２は平板状の防雨板１２ａと雨樋形状の防雨板１２ｂを多段（２段）重ねに配置した。これら平板状の防雨板１２ａと雨樋形状の防雨板１２ｂはともに下端が前側に近づくような下方への傾斜板であり、相互に平行して間隔を存して並ぶ。
【００２９】
前記雨樋形状の防雨板１２ｂは、下端部分を樋状に折り曲げて幅方向に断面略Ｕ字形の雨樋１３を設けたものである。
【００３０】
また、前面フード８内の下部内側には下面防雨板１４を設けるが、この下面防雨板１４は平板状の防雨板１４ａ，１４ｂを多段（２段）重ねに配置した。これら平板状の防雨板１４ａ，１４ｂはともに上端が前側に近づくような上方への傾斜板であり、相互に平行して間隔を存して並ぶ。
【００３１】
これに加えて、前面フード８の左右の側部に縦長の略長四角形状の外気開口窓１５を形成し、その内側にはほぼ同じ程度の縦長の略長四角形状の側面防雨板１６ａ，１６ｂを配設した。この側面防雨板１６ａ，１６ｂは外気開口窓１５の後側側縁辺から前面フード８内に傾斜して入り込むような傾斜平板である。
【００３２】
図３に示すように、上面防雨板１２の雨樋形状の防雨板１２ｂの雨樋１３の端部１３ａは側面防雨板１６ａ，１６ｂの外側に位置するものとする。なお、上面防雨板１２の平板状の防雨板１２ａと雨樋形状の防雨板１２ｂ、下面防雨板１４の平板状の防雨板１４ａ，１４ｂ、側面防雨板１６ａ，１６ｂはいずれもステンレス製の板で、端部の接合しろを前面フード８内に点付け溶接して前面フード８側に組み込んだ。
【００３３】
さらに、これらの部材の位置関係を更に詳細に説明する。上面防雨板１２の平板状の防雨板１２ａは、ポイントＡ（パイプガイド６のベース板５側の開口面下端ポイント）とポイントＢ（前面フード８の前面側上端ポイント）と結んだ線よりも外側に位置させ、上面防雨板１２の雨樋形状の防雨板１２ｂは、前記ポイントＡとポイントＣ（平板状の防雨板１２ａの上端で前面フード８の上端ポイント、ポイントＢの水平横移動ポイント）を結んだ線よりも外側に位置させる。
【００３４】
下面防雨板１４の平板状の防雨板１４ａは、ポイントＤ（パイプガイド６のベース板５側の開口面上端ポイント）とポイントＥ（前面フード８の前面側下端ポイント）と結んだ線よりも外側に位置させ、平板状の防雨板１４ｂは、前記ポイントＤとポイントＦ（平板状の防雨板１４ａの下端で前面フード８の下端ポイント、ポイントＥの水平横移動ポイント）を結んだ線よりも外側に位置させる。
【００３５】
側面防雨板１６ａは、ポイントＧ（パイプガイド６のベース板５側の開口面右端ポイント）とポイントＨ（前面フード８の左側側面の外気開口窓１５の前側縁辺ポイント）とを結んだ線よりも外側に位置させ、側面防雨板１６ｂは、ポイントＩ（パイプガイド６のベース板５側の開口面左端ポイント）とポイントＪ（前面フード８の右側側面の外気開口窓１５の前側縁辺ポイント）とを結んだ線よりも外側に位置させた。
【００３６】
このようにすることで、上面防雨板１２は前面フード８の上開口側から、下面防雨板１４は前面フード８の下開口側から、側面防雨板１６ａ，１６ｂは前面フード８の左右側部に形成した外気開口窓１５から、それぞれパイプガイド６の開口内が見えないように遮蔽できると同時に上下左右からの風雨の浸入を著しく遮断できる。
【００３７】
上面防雨板１２の平板状の防雨板１２ａと雨樋形状の防雨板１２ｂ、下面防雨板１４の平板状の防雨板１４ａ，１４ｂ、外気開口窓１５および側面防雨板１６ａ，１６ｂの数は図示のごとく１個づつに限定されるものでなく、全体の大きさに応じて増すことも考えられる。
【００３８】
設置については前記従来例と同一であり、図示は省略するが、パイプガイド６を外壁貫給排気ダクト２の開口に嵌入すれば、抜け止め金具１１の押圧で固定される。（図１０、図１１参照）
【００３９】
図５は本発明の第２実施形態として、防火ダンパー１７を付加した。この防火ダンパー１７はパイプガイド６の外側端に垂設した蝶番軸１８に回動自在に軸着した２枚の半円形板１７ａからなり、バネ１９で付勢して開き、円形としてパイプガイド６を閉塞する。通常の不使用時は２枚の半円形板１７ａは重ね合わせて閉じられ、温度ヒューズ２０で係止されている。
【００４０】
図６、図７は本発明の第３実施形態として、防鳥網２１、防虫網２２を設けた。防鳥網２１は防虫網２２に比べて比較的網み目の大きなものでよく、本実施形態では防鳥網２１は上面防雨板１２の平板状の防雨板１２ａと下面防雨板１４の平板状の防雨板１４ａと側面防雨板１６ａ，１６ｂとで囲まれる面に設け、防虫網２２はパイプガイド６のベース板５側の開口面を覆うように設けた。
【００４１】
なお、このような防鳥網２１、防虫網２２の埃による目詰まり清掃のために前面フード８を外すことができるようにし、その際の落下防止のためにワイヤー２３またはチェーンをもってこの前面フード８をベース板５側に繋ぎ止める。
【００４２】
また、上面防雨板１２の平板状の防雨板１２ａと雨樋形状の防雨板１２ｂの裏側面に制振部材による雨滴減音材２４を貼設し、雨がこれら平板状の防雨板１２ａと雨樋形状の防雨板１２ｂに直接当たった時に大きな音が出ないようにした。
【００４３】
さらに、第４実施形態として、図８、図９に示すようにパイプガイド６と他の部材は軸着構造として、ベース板５や前面フード８をこのパイプガイド６に対して回転させることができるようにする。建物が斜線制限を受ける建物の外壁にベントキャップを設置する場合は、外壁の勾配に合わせて任意の角度に可変できる。
【００４４】
【発明の効果】
以上述べたように本発明のベントキャップは、外壁面を上から下方向に向かって吹き下がる雨や外壁面を横方向から吹き流れる雨の他、外壁面の下から上方向に向かって吹き上げる雨の止水性能を格段に向上させ、また、従来の同一外形サイズのものに比べて給排気の圧力損失が低く、コンパクトな寸法で給排気性能を確保できるものである。
【図面の簡単な説明】
【図１】  本発明のベントキャップの第１実施形態を示す中央縦断側面図である。
【図２】  本発明のベントキャップの第１実施形態を示す中央横断平面図である。
【図３】  本発明のベントキャップの第１実施形態を示す一部切り欠いた平面図である。
【図４】  本発明のベントキャップの第１実施形態を示す斜視図である。
【図５】  本発明のベントキャップの第２実施形態を示す縦断側面図である。
【図６】  本発明のベントキャップの第３実施形態を示す一部切り欠いた正面図である。
【図７】  本発明のベントキャップの第３実施形態を示す縦断側面図である。
【図８】  本発明のベントキャップの第４実施形態を示す回転前の縦断側面図である。
【図９】  本発明のベントキャップの第４実施形態を示す回転後の縦断側面図である。
【図１０】  従来例を示す透視斜視図である。
【図１１】  従来例を示す縦断側面図である。
【符号の説明】
１…外壁                          ２…外壁貫給排気ダクト
３…ダクト吊金物                  ４…ベントキャップ
５…ベース板                      ６…パイプガイド
７…防雨ガラリ                    ８…前面フード
９…防雨板                        １０…雨だれ防止板
１０ａ…立上げフランジ
１１…抜け止め金具                １２…上面防雨板
１２ａ…平板状の防雨板            １２ｂ…雨樋形状の防雨板
１３…雨樋                        １３ａ…端部
１４…下面防雨板                  １４ａ，１４ｂ…平板状の防雨板
１５…外気開口窓                  １６ａ，１６ｂ…側面防雨板
１７…防火ダンパー                １７ａ…半円形板
１８…蝶番軸                      １９…バネ
２０…温度ヒューズ                ２１…防鳥網
２２…防虫網                      ２３…ワイヤー
２４…雨滴減音材
【図１】
0004708582.tif 000002
【図２】
0004708582.tif 000003
【図３】
0004708582.tif 000004
【図４】
0004708582.tif 000005
【図５】
0004708582.tif 000006
【図６】
0004708582.tif 000007
【図７】
0004708582.tif 000008
【図８】
0004708582.tif 000009
【図９】
0004708582.tif 000010
【図１０】
0004708582.tif 000011
【図１１】
0004708582.tif 000012